(57)【要約】【課題】水路等の低所側水域と田んぼ等の高所側水域との標高差の程度に応じて連通する際に、施工能率の向上と施工コストの低減化が図れ、さらに、有用な動植物の生息環境改善が図れる生物移動休息用構造体と、該生物移動休息用構造体を施工する施工ブロック、および施工方法を提供すること。【解決手段】枠体のが略方形、略蒲鉾状、略コ字状、または略Ｃ字状のいずれかに形成され開口１２を有すると共にその内表面に突起部１５が形設されており、前記開口１２の下方部分が前記枠体の外側上方に向けまたは前記開口の上方部分１３ａが前記断面の外側下方もしくは外側上方に向けてさらに延伸しているところに構成特徴があり、水路Ｘや川の内断面を形成する側壁Ｙに設置され、高所側水域Ｚと低所側水域Ｘとを連通させ、遮断されていた水路域と田んぼ域に多様な生物が往来できるようになり地域に一体的なビオトープ環境を広げることができるものである。 【選択図】 図３
2008057206.tif 000002
【特許請求の範囲】
【請求項１】
水路や川の内断面を形成する側壁に、該側壁において高所側水域と低所側水域とを連通する生物移動休息構造体であって、
該生物移動休息構造体は、枠体部分の断面が略方形、略蒲鉾状、略コ字状、または略Ｃ字状のいずれかに形成され側面に開口を有すると共にその内表面に突起部が形設されており、
前記開口の下方部分が前記断面の上方に向けてさらに延伸し、または、前記開口の上方部分が下方直角方向に向けてもしくは外方向に向けてさらに延伸していることを特徴とする、生物移動休息構造体。
【請求項２】
水路や川の内断面を形成する側壁部に、該側壁部の高所側水域と低所側水域とを連通する生物の移動休息構造体を形成するために組み付けられる生物移動休息構造体用の施工ブロックであって、
該施工ブロックは、枠体部分の断面が略方形、略蒲鉾状、略コ字状、または略Ｃ字状のいずれかに形成され側面に開口部を有すると共にその内表面に突起部が形設されており、
前記開口部の下方部分が前記断面の上方に向けてさらに延伸し、または、前記開口の上方部分が下方直角方向に向けてもしくは外方向に向けてさらに延伸していることを特徴とする、施工ブロック。
【請求項３】
水路や川の内断面を形成する側壁部内に、請求項２記載の施工ブロックの一部を埋設しまたは全てを埋設、固定することにより、前記側壁部において高所側水域と低所側水域とを連通することを特徴とする、生物移動休息構造体の施工工法。
【発明の詳細な説明】
【技術分野】
【０００１】
本発明は生物移動休息用構造体と、該生物移動休息用構造体を施工するに際して好適に使用できる施工ブロックおよび施工方法に関し、より詳しくは、水路等の側壁部において低所側水域と田んぼ等の高所側水域との標高差の程度に応じて連通する際に、施工能率の向上と施工コストの低減化が図れ、かつ、生物保全機能の維持向上によって多様な生物を生息させるビオトープ（動植物の生息空間）とし、有用な動植物の生息環境改善と共にそれに伴う水質の浄化が図れる生物移動休息用構造体と、該生物移動休息用構造体を施工するに際して好適に使用できる施工ブロックおよび施工方法に関するものである。
【背景技術】
【０００２】
近年、水田や池等の淡水貯留池側において生物保全機能の維持向上によって多様な生物を生息させるビオトープ（動植物の生息空間）とし、有用な動植物の生息環境の改善と併せて水質の浄化を図る試みがなされている。例えば、水田に、鮒、鯉、鯰等の大型魚類（だいたい数十センチ程度の大きさ）だけでなくメダカ、ドジョウ等の小型魚類（だいたい数センチ程度の大きさ）を導き入れて産卵繁殖・育成の場として活用することにより、生態系保全に一定の効果のあることが知られてきている。その結果、水の浄化された水田で栽培可能な有用な植物の範囲も広がってきている。
【０００３】
一方、水田または休耕田では、土地改良事業が進み、水田側と用水路側あるいは排水路側との水位差が数十センチから１メートルに及ぶことも珍しくない。このような、落差が数十センチから１メートル程度の上下流の水域間を結ぶ従来の魚道としては、水路の法線に対し直角方向に向かって水路敷と田んぼの敷とを直線でまたは折り曲げて連結しようとする魚道や、水路断面内においてＵ字構造の魚道を側壁面に沿って水路底面から田面に向かって斜めに設置したり、水路そのものを魚道のように見立てて下流側から段階的に水位の堰上げ用の横断構造物を複数個設置して、結果として水路を階段式魚道とする方法などがとられてきた。
【０００４】
また、Ｕ字溝状をなす水路部材の複数を、排水路側から水田側に向けて徐々に高くなるように階段状に敷設する。上流側に設置された水路部材の接合部を、下流側に設置された水路部材の接合嵌合部に嵌め入れる。又、各水路部材の水路の下流側部位に、水路水を嵩上げする堰板を着脱可能に装着し、該堰板の越流部を、下流側の水位に対して魚類が遡上可能な高さに設定する方法が提案されている（特許文献１）。
【０００５】
【特許文献１】特開２００４−６８５７１号公報
【発明の開示】
【発明が解決しようとする課題】
【０００６】
しかしながら、水路の法線に対し直角方向に向かって水路敷と田んぼの敷とを直線で連結した魚道は、その勾配を緩く保つためには魚道の上流側を田んぼの敷地まで食い込んで設置する必要がある。そのため、稲作作業の支障になったり、田んぼの最下流に排水口が設けられないなどの問題があった。また、畦部を切り欠いて連通させるため、畦がそこで遮断されることになり、農作業や田んぼの水廻り（田んぼの水量を調整に出掛けること）などにも支障をきたしていた。
【０００７】
また、水路断面内においてＵ字構造の魚道を側面に沿って水路底面から田んぼに向け斜設した魚道にあっては、上流からの流出物が引っ掛かって損傷したり、堰上げを起こしたり、ゴミの取り除き作業の責任所在や労力、費用等の問題があり、さらに、Ｕ字溝状魚道の上面が開口しているため、移動する魚類やかえる等の生物を野鳥の捕食から保護できなかった。
【０００８】
また、水位の堰上げ用の横断構造物の複数個を、水路下流側から段階的に設置することにより水路自体を魚道と見なして、いわゆる階段式魚道とする方法にあっても、水路内に、水路横断構造物を設置するため、ゴミが引っ掛かって魚類が通過できなかったり、ゴミの撤去作業に費用を要するなど同様の問題が顕在化していた。
【０００９】
また、Ｕ字溝状をなす水路部材の複数を、排水路側から水田側に向けて徐々に高くなるように階段状に敷設し、上流側に設置された水路部材の接合部を、下流側に設置された水路部材の接合嵌合部に嵌め入れ、また、各水路部材の水路の下流側部位に、水路水を嵩上げする堰板を着脱可能に装着し、該堰板の越流部を、下流側の水位に対して魚類が遡上可能な高さに設定する方法が提案されているが（特許文献１）、この方法によると、田んぼ敷地内へ食い込んで設置する必要があるとか、水路に横断障害物を設けるなど、叙上の問題を起こす可能性が大きく、また、Ｕ字溝状の魚道上部が開口しているため、魚類やかえる等の生物を野鳥の捕食から守ることができないという問題がある。なお、二次的な作業を伴うことになるが、魚道を防止ネットや透明被服材で覆うことによって、魚道を通過する魚類などを野鳥の捕食から守ろうとしても、強風などで捲れたり、吹き飛んだりするため、回収して設置し直すとか、新品を設置し直すなどの作業労力を要し、さらに、学習能力のある野鳥からは保護することができず結果として問題解決には至っていない。これら従来の技術内容は、幾つかの課題を抱えながらも結果として魚類の移動施設とするものでしかなく、その地域に生息する多様な生物の生態系へ配慮するものではなかった。
本発明は上記の実情に鑑みなされたもので、その目的とするところは、水路等の低所側水域と田んぼ等の高所側水域との標高差の程度に応じて連通する際に、施工能率の向上と施工コストの低減化が図れる生物移動休息用構造体と、該生物移動休息用構造体を施工するに際して好適に使用できる施工ブロックおよび施工方法を提供するにある。
【００１０】
本発明の他の目的は、多様な生物の生態系（ビオトープ）保全に対応可能な環境保全施設として考案されたものであり、有用な動植物の生息環境改善が図れる生物移動休息用構造体と、該生物移動休息用構造体として好適に使用できる施工ブロックおよび施工方法を提供するにある。
【課題を解決するための手段】
【００１１】
上記課題を解決するため、本発明は以下の構成を採用する。
（１）水路や川の内断面を形成する側壁部に、該側壁部において高所側水域と低所側水域とを連通する生物移動休息構造体であって、該生物移動休息構造体は、枠体部分の断面が略方形、略蒲鉾状、略コ字状、または略Ｃ字状のいずれかに形成され側面に開口を有すると共にその内表面に突起部が形設されており、
前記開口の下方部分が前記断面の上方に向けてさらに延伸し、または、前記開口の上方部分が下方直角方向に向けてもしくは外方向に向けてさらに延伸しているところに特徴がある生物移動休息構造体。
（２）水路や川の内断面を形成する側壁部に、該側壁部の高所側水域と低所側水域とを連通する生物の移動休息構造体を形成するために組み付けられる生物移動休息構造体用の施工ブロックであって、該施工ブロックは、枠体部分の断面が略方形、略蒲鉾状、略コ字状、または略Ｃ字状のいずれかに形成され側面に開口部を有すると共にその内表面に突起部が形設されており、前記開口部の下方部分が前記断面の上方に向けてさらに延伸し、または、前記開口の上方部分が下方直角方向に向けてもしくは外方向に向けてさらに延伸していることところに特徴がある。
（３）水路や川の内断面を形成する側壁部内に、請求項２記載の施工ブロックの一部を埋設または全てを埋設、固定することにより、前記側壁部において高所側水域と低所側水域とを連通するところに特徴を有する生物移動休息構造体の施工工法。
【発明の効果】
【００１２】
本発明に係る生物移動休息用構造体によると、は以下のごとき優れた効果を奏する。
１）生物移動休息用構造体の一部またはすべてが水路の側壁部の内部に配置され一体に固定するように構成されているため、田んぼの敷地や水路の通水断面を侵すことなく設置が可能となった。水路と田んぼ等の貯留池との間の平面視で見た幅（畦部等の幅）と、水路の水位と貯水池の水位との間の落差に応じて、必要個数の生物移動休息用構造体を側壁部内において直線状態や所要の屈曲状態で水路の法線と平行方向に順次接合する構造のため狭い範囲で魚道を形成することができる。すなわち、魚類などの水性生物は順次移動して水路側（低水位領域）から例えば田んぼ（高水位領域）に、また、田んぼ（高水位領域）から水路側（低水位領域）に向けた相互方向に、安全かつ容易に移動できる。
【００１３】
２）生物移動休息用構造体は、枠体部分の断面が略方形、略蒲鉾状、略コ字状、または略Ｃ字状のいずれかに形成されかつ水路側側面に開口を有しているので、水路側の水位が上昇下降した場合であっても、また、水路敷に土砂が堆積して敷高が上昇した場合であっても、水路や川の側壁部の側面に沿って水路底面の標高から斜めに形成されており、さらに、田んぼ面（高水位領域）の標高に至るまでの開口部分として形成され、この開口部分が魚道の出入口として作用するため、どの標高においても魚類の出入口を閉塞させることなく動作することができる。強度上または開口比率上等の観点から、下方部分と上方部分が部分的に不連続な構造に構成して構わない。
【００１４】
３）生物移動休息用構造体には壁面側に開放された開口が設けてあり、生物移動構造体内部の状況の観察や掃除などの維持管理も容易である。特に、上方部分が断面外側に向けて延伸するものは、畦部等の傾斜面に沿って落下する泥や小石などの泥溜めとなり、魚道内に汚泥等の微粒土が多量に流入することを防止できる。
【００１５】
４）生物移動休息用構造体内に設けられた突起部は、水棲生物ではないネズミやイタチなどの小動物がこの構造体内を移動する際には足場となって足を濡らさずに歩行することができる。
【００１６】
５）生物移動休息用構造体は、水路側面を形成する側壁部体内に備えるように構成されているため、畦の天端や、畦の法面下端と水路との間をなす畦道に、一輪車等を障害なく走行させて、農作業の容易化を達成できる。
【００１７】
６）また、生物移動休息用構造体の内表面に突起部が形設されているため、畦部の幅が比較的小さく、水路の水位と田んぼの水位との間の落差が大きい場合にも、該落差に応じて傾設させて適切な水深を確保した魚道を合理的に構成できる。さらに、突起部が泥溜めとなり、生物移動休息用構造体内を流れる汚泥等の微粒土を堆積させることができるため、突起部が泥溜めとなり、生物移動休息用構造体内を流れる土砂等を堆積させることができ、水棲生物のサワガニなどが移動中に隠れたり棲息できる環境が提供でき、さらに、突起部近傍に淀み場が形成されることになり、そこを、稚魚などの避難場所としてあるいは底生生物の生息場として機能させることができる。さらに、突起部の凸部分を自然石のような露出面とすれば、藻類の繁殖を助けて、底生生物の良好な餌場にすることができる。
【００１８】
７）突起部の天端を広く水平に近い平面にしたり、小動物に応じた空間を備えるなどすることで、水路壁などの側壁部内に設置してあるため上空からは発見しにくい箇所において野鳥などの外敵から身を隠しながら休息することができる構造となる。魚道としての作用するに加えて、各種生物がこれまで遮断されていた水路と田んぼを往来できる移動箇所となることで、水路などの線上から田園一帯の面状のビオトープが保全されることなるなど、多方面的な利用方法を展開することができる。すなわち、以上述べた各効果が互いに相まって、田んぼなど淡水貯留池における生物保全機能を向上させ、多様な生物のビオトープとしての生態系を保全できるなど、格別顕著な効果が得られる。
【００１９】
つぎに、上記（１）に記載の施工ブロックによると、施工ブロックの複数を順次接合して、換言すれば、必要個数の施工ブロックを順次接合して生物移動休息用構造体を形成すれば、施工に多くの手間を要することがなく施工能率が良好となって施工工期の短縮が図れるため、上記優れた効果を奏するる生物移動休息用構造体を、狭い範囲で、低コストで、短期施工できる。
【発明を実施するための最良の形態】
【００２０】
本発明の実施の形態を実施例によって説明するが、これらはその代表例に過ぎず、様々に設計変更して実施できるものとする。
【００２１】
なおここで、本発明に係る生物移動休息用構造体および施工ブロックの原材を制限するものではなく、要するところ、これらを構築できるものであれば何でも良く、例えば、コンクリート、鋼材、木材（間伐材）、天然石板、焼き物（陶磁器）、合成樹脂などが例示できさらに、これら複数の原材を組合せてあってもよいものとする。また、側壁（側壁部）とはコンクリートの構造物を意味するのではなく、土で構成された法面なども含む広義の意味であり、さらに、側壁（側壁部）の勾配も鉛直だけでなく勾配のある法面も含み、さらに、水路や川の護岸工をも含むものとする。
【００２２】
図１は本発明の実施例１の生物移動休息用構造体（魚道）１を模式的に示す平面図であり、図２は同生物移動休息用構造体（魚道）１を模式的に示す正面図である。図３（ａ）は同生物移動休息用構造体（魚道）１を土盛りした土手Ｙに設置した状態を模式的に示す要部断面図であり、図３（ｂ）は同生物移動休息用構造体（魚道）１を、水路の側壁コンクリート壁に設置した状態を模式的に示す要部断面図である。
【００２３】
図において、この生物移動休息用構造体１は、水路Ｘや河川の内断面を形成する側壁の内部に、施工ブロック１０側面に設けた開口１２が水路や河川の側壁水路側に開放されるように配され、側壁の高所側水域と低所側水域とを連通させた状態に一体に固定されたものであり、水生動物の移動休息施設として使用される。ただし、施工ブロックの複数を連結、固定するに代えて、施工現場において型枠等を使用してコンクリートを打設したり、施工現場においてて加工木材（間伐材）を組み付けるなどしても構わないものとする。
【００２４】
施工ブロック１０は、枠体部分の断面形状が略方形状、略蒲鉾形状、略コ字形状、または略Ｃ字形状で、その側面には水路や河川側に開放される開口部１３が形成されており、底面１４には突起部１５および魚類の移動を可能にする凹部１７が形成されている。ただし、開口部は、施工ブロック１０側面に窓枠形状に開口しても構わないものとする。
【００２５】
なお、底面や前記凹部１７に、自然石あるいは擬石等を配置して突起部１５を形成してもよく、さらに、突起部１５の表面に細かい突起部分１５’（図示しない）を形設すると、前記突起部１５と細かい突起部分１５’の両方によって減速効果が得られるようになる。      
【００２６】
また、開口部１３の下方部分が外上方に向けて延伸するように構成されていると、畦部等の傾斜側壁面に沿って落下する泥や小石などが生物移動休息用構造体内に進入することを防ぐことができる。
【００２７】
また、開口部１３の上方部分が外上方に向けて延伸するように構成されていると、畦部等の傾斜側壁面に沿って落下する泥や小石などが生物移動休息用構造体内に進入することを防ぐことができ、かつ、上方部分の上に積層した泥や小石などの層が培土となって植物を繁茂させることができ、生えた植物により土砂の落下が防止でき、遮断されていた水路と田んぼに多様な生物が往来できるようになって、面的なビオトープ環境が広がるようになる。
【００２８】
つぎに、施工ブロック１０について、その代表的なものを、図４（ａ）〜図４（ｅ））を参照しながら、より詳細に説明するが、これらはその代表例として例示するにすぎず、例えば開口部の上方部分を形成しないなど、様々に設計変更できるものとする。
【００２９】
図４（ａ）の施工ブロック１０ａは、底面１４側に、突起部１５ａおよび魚類の移動を可能にする凹部１７が形成され、突起部１５ａが平坦な天端を有する陸部分として形成されており、開口部の上方部分は外下方に向けて延伸している。図４（ｂ）の施工ブロック１０ｂは図４（ｂ）の施工ブロック１０ａにおいて突起部１５ｂが高さの異なる２段の陸部分として形成されているものである。図４（ｃ）の施工ブロック１０ｃは図４（ａ）の施工ブロック１０ａにおいて、前記陸部分の上方に棚１５’ｃが形成され、陸部分と棚１５ｃ’がともに突起部１５ｃとして作用するものである。図４（ｄ）の施工ブロック１０ｄは、突起部１５ｄが平坦な天端を有する比較的高い陸部分として形成されその両側に凹部１７が形成されており、開口部の下方部分１３ａ’が内側上方に向けて延伸しており、開口部の上方部分はそれ以上延伸していないものである。図４（ｅ）の施工ブロック１０ｅは、突起部１５ｅが平坦な天端を有する陸部分およびこの陸部分に立設する脚部に支えられた棚部分１５ｅ’であり、陸部分の両側に凹部１７が形成されており、開口部の上方部分１３aが外側上方に向けて延伸しているものである。図４（ｆ）の施工ブロック１０ｆは、断面形状の異なる突起部１５ｆが形成され凹部１７が底面にまで至っており、開口部の上方部分１３ｂが下方直角方向に向けてさらに延伸しているものである。
【００３０】
天端を大きくし水平に近く平面にした陸部分を形成し、小動物に応じた空間を備えるなどして水路壁などの内部に配置されていると、野鳥などの外敵が水生動物を上空から発見し難くなるため、野鳥などの外敵から身を隠しながら休息することができる構造となる。さらに、魚類ばかりでなくカエル、カメ、カエルをはじめイタチ、ネズミ等の小動物が水路から田んぼへの移動も容易になることに加えて、遮断されていた水路と田んぼに多様な生物が往来できるようになり面的なビオトープ環境が広がるので自然環境復元上大変好ましい。
【００３１】
また、畦部の幅が比較的小さく、水路の水位と田んぼ等淡水貯留池の水位との間の落差が大きい場合にも、該落差に応じて傾設させて適切な水深を確保した生物移動休息用構造体を合理的に構成でき、さらに、突起部が泥溜めとなり、生物移動休息用構造体内を流れる汚泥等の微粒土を堆積させることができる。すなわち、突起部が泥溜めとなり、生物移動休息用構造体内を流れる土砂等の微粒土を堆積させることができ、水棲生物のサワガニなどが移動中に隠れたり棲息できる環境が提供でき、さらに、突起部近傍に淀み場が形成されることになり、そこを、稚魚などの避難場所としてあるいは底生生物の生息場として機能させることができる。さらに、突起部の凸部分を自然石のような露出面とすれば、藻類の繁殖を助けて、底生生物の良好な餌場にすることができる。
【００３２】
以上、本発明に係る生物移動休息用構造体１によると、叙上の１）乃至７）に記載の通りの格別顕著な作用効果を奏し、これら各効果が互いに相まって、魚類ばかりでなくカエル、カメ、カエルをはじめイタチ、ネズミ等の小動物が水路から田んぼへの移動も容易になることに加えて、遮断されていた水路域と田んぼ域に多様な生物が往来できるようになり地域に一体的なビオトープ環境が広がることができるようになる。
【図面の簡単な説明】
【００３３】
【図１】図１は本発明の生物移動休息用構造体（魚道）を模式的に示す平面図である。
【図２】図２は同生物移動休息用構造体（魚道）１を模式的に示す正面図である。
【図３】図３（ａ）は同生物移動休息用構造体１を土盛りした土手に設置した状態を模式的に示す要部断面図であり、図３（ｂ）は同生物移動休息用構造体（魚道）を、水路の側壁コンクリート壁に設置した状態を模式的に示す要部断面図である。
【図４】図４（ａ）は施工ブロックの一例を模式的に示す要部断面図であり、突起部が平坦な天端を有する陸部分として形成されているものである。  図４（ｂ）の施工ブロックは、他の施工ブロックを模式的に示す要部断面図であり、突起部が高さの異なる２段の陸部分として形成されているものである。  図４（ｃ）は他の施工ブロックを模式的に示す要部断面図であり、突起部が、陸部分とその上方に形成された棚として形成されているものである。  図４（ｄ）は他の施工ブロックを模式的に示す要部断面図であり、突起部が平坦な天端を有する比較的高い陸部分として形成されその両側に凹部が形成されており、開口部の下方部分が内側上方に向けて延伸しており、開口部の上方部分はそれ以上延伸していないものである。図４（ｅ）は、突起部が、平坦な天端を有する陸部分とその上方に形成された棚として形成されており、陸部分の両側に凹部が形成されており、開口部の上方部分が外側上方に向けて延伸しているものである。  図４（ｆ）の他の施工ブロック１０ｆを模式的に示す要部断面図であり、断面形状の異なる突起部が形成され凹部１７が底面にまで至っており、開口部の上方部分が下方直角方向に向けてさらに延伸しているものである。
【符号の説明】
【００３４】
１  …  生物移動休息用構造体
１０  …  施工ブロック
１０ａ…  施工ブロック
１０ｂ…  施工ブロック
１０ｃ…  施工ブロック
１０ｄ…  施工ブロック
１０ｅ…  施工ブロック
１０ｆ…  施工ブロック
１１  …  枠体部分
１２  …  開口
１３  …  開口部
１３ａ…  上方部分
１３ａ’…下方部分
１３ｂ…  上方部分
１４  …  底面
１５  …  突起部
１５ａ…  突起部
１５ｂ…  突起部
１５ｃ…  突起部
１５ｃ’…棚
１５ｄ  …突起部
１５ｅ  …突起部
１５ｅ’…棚部分
１５’…  突起部分
１５ｆ  …突起部
１７  …  凹部
Ｘ  …  水路（低水位領域）
Ｙ  …  土手（側壁）
Ｚ  …  田んぼ（高水位領域）
【図１】
2008057206.tif 000003
【図２】
2008057206.tif 000004
【図３】
2008057206.tif 000005
【図４】
2008057206.tif 000006
【手続補正書】
【提出日】平成18年9月6日(2006.9.6)
【手続補正１】
【補正対象書類名】明細書
【補正対象項目名】００１９
【補正方法】変更
【補正の内容】
【００１９】
つぎに、上記（２）に記載の施工ブロックによると、施工ブロックの複数を順次接合して、換言すれば、必要個数の施工ブロックを順次接合して生物移動休息用構造体を形成すれば、施工に多くの手間を要することがなく施工能率が良好となって施工工期の短縮が図れるため、上記優れた効果を奏するる生物移動休息用構造体を、狭い範囲で、低コストで、短期施工できる。
【手続補正２】
【補正対象書類名】明細書
【補正対象項目名】００２２
【補正方法】変更
【補正の内容】
【００２２】
図１は本発明の実施例１の生物移動休息用構造体１を模式的に示す平面図であり、図２は同生物移動休息用構造体１を模式的に示す正面図である。図３（ａ）は同生物移動休息用構造体１を土盛りした土手Ｙに設置した状態を模式的に示す要部断面図であり、図３（ｂ）は同生物移動休息用構造体１を、水路の側壁コンクリート壁に設置した状態を模式的に示す要部断面図である。
【手続補正３】
【補正対象書類名】明細書
【補正対象項目名】００２６
【補正方法】変更
【補正の内容】
【００２６】
また、開口部１３の下方部分が内上方に向けて延伸するように構成されていると、畦部等の傾斜側壁面に沿って落下する泥や小石などが生物移動休息用構造体内に進入することを防ぐことができる。
【手続補正４】
【補正対象書類名】明細書
【補正対象項目名】００３３
【補正方法】変更
【補正の内容】
【００３３】
【図１】図１は本発明の生物移動休息用構造体を模式的に示す平面図である。
【図２】図２は同生物移動休息用構造体を模式的に示す正面図である。
【図３】図３（ａ）は同生物移動休息用構造体を土盛りした土手に設置した状態を模式的に示す要部断面図であり、図３（ｂ）は同生物移動休息用構造体を、水路の側壁コンクリート壁に設置した状態を模式的に示す要部断面図である。
【図４】図４（ａ）は施工ブロックの一例を模式的に示す要部断面図であり、突起部が平坦な天端を有する陸部分として形成されているものである。  図４（ｂ）の施工ブロックは、他の施工ブロックを模式的に示す要部断面図であり、突起部が高さの異なる２段の陸部分として形成されているものである。  図４（ｃ）は他の施工ブロックを模式的に示す要部断面図であり、突起部が、陸部分とその上方に形成された棚として形成されているものである。  図４（ｄ）は他の施工ブロックを模式的に示す要部断面図であり、突起部が平坦な天端を有する比較的高い陸部分として形成されその両側に凹部が形成されており、開口部の下方部分が内側上方に向けて延伸しており、開口部の上方部分はそれ以上延伸していないものである。図４（ｅ）は、突起部が、平坦な天端を有する陸部分とその上方に形成された棚として形成されており、陸部分の両側に凹部が形成されており、開口部の上方部分が外側上方に向けて延伸しているものである。  図４（ｆ）の他の施工ブロック１０ｆを模式的に示す要部断面図であり、断面形状の異なる突起部が形成され凹部１７が底面にまで至っており、開口部の上方部分が下方直角方向に向けてさらに延伸しているものである。